(57)【要約】【課題】汚泥の発生を抑制するとともに薬品の使用量を低減し、低いランニングコストで廃水中の懸濁物を除去、回収する。【解決手段】実施形態の廃水処理装置は、懸濁物を含有する廃水とスピネルフェライト粒子とを接触させ、当該スピネルフェライト粒子に対して前記懸濁物を吸着させるための反応槽と、前記反応槽の下流側に位置し、前記懸濁物を吸着した前記スピネルフェライト粒子を導入し、当該スピネルフェライト粒子から前記懸濁物を離脱させるための電解式ｐＨ調整器とを具える。また、前記電解式ｐＨ調整器の下流側に位置し、前記懸濁物より離脱した前記スピネルフェライト粒子を回収するためのスピネルフェライト粒子回収装置とを具える。【選択図】図１
2014087768.tif 000002
【特許請求の範囲】
【請求項１】
懸濁物を含有する廃水とスピネルフェライト粒子とを接触させ、当該スピネルフェライト粒子に対して前記懸濁物を吸着させるための反応槽と、
前記反応槽の下流側に位置し、前記懸濁物を吸着した前記スピネルフェライト粒子を導入し、当該スピネルフェライト粒子から前記懸濁物を離脱させるための電解式ｐＨ調整器と、
前記電解式ｐＨ調整器の下流側に位置し、前記懸濁物より離脱した前記スピネルフェライト粒子を回収するためのスピネルフェライト粒子回収装置と、
を具えることを特徴とする、廃水処理装置。
【請求項２】
前記スピネルフェライト粒子は、マグネタイト粒子であることを特徴とする、請求項１に記載の廃水処理装置。
【請求項３】
前記電解式ｐＨ調整器は、陰イオン交換膜によって陰極室及び陽極室に分離された２室型の電解式ｐＨ調整器であって、前記懸濁物を吸着した前記スピネルフェライト粒子を前記陰極室又は前記陽極室に導入することにより、前記懸濁物を前記スピネルフェライト粒子から離脱させることを特徴とする、請求項１又は２に記載の廃水処理装置。
【請求項４】
前記懸濁物を吸着した前記スピネルフェライト粒子を導入する前記陰極室又は前記陽極室には、前記スピネルフェライト粒子の導入方向と垂直に、複数の絶縁板がそれぞれの中心が所定の間隔でずれるようにして互い違いに配列されていることを特徴とする、請求項３に記載の廃水処理装置。
【請求項５】
前記反応槽と前記電気式ｐＨ調整器との間に配設され、前記懸濁物を吸着したスピネルフェライト粒子のスラリーと前記廃水より前記懸濁物が除去されて得た処理水とを分離するための分離槽を具えることを特徴とする、請求項１〜４のいずれか一に記載の廃水処理装置。
【請求項６】
前記スピネルフェライト粒子回収装置の下流側において、前記スピネルフェライト粒子より離脱した前記懸濁物を回収するための懸濁物回収槽と、
前記電解式ｐＨ調整器の下流側において、前記電解式ｐＨ調整器で生成した酸又はアルカリを貯留するための酸・アルカリ貯留槽とを具え、
前記酸・アルカリ貯留槽中の前記酸又はアルカリを前記懸濁物回収槽に供給して、前記懸濁物を中和するように構成したことを特徴とする、請求項１〜５のいずれか一に記載の廃水処理装置。
【請求項７】
反応槽内において、懸濁物を含有する廃水とスピネルフェライト粒子とを接触させ、当該スピネルフェライト粒子に対して前記懸濁物を吸着させるステップと、
前記懸濁物を吸着した前記スピネルフェライト粒子を、前記反応槽の下流側に位置する電解式ｐＨ調整器に導入し、吸着した前記懸濁物を前記スピネルフェライト粒子から離脱させるステップと、
前記電解式ｐＨ調整器の下流側に位置するスピネルフェライト粒子回収装置において、前記懸濁物より離脱した前記スピネルフェライト粒子を回収するステップと、
を具えることを特徴とする、廃水処理方法。
【請求項８】
前記スピネルフェライト粒子は、マグネタイト粒子であることを特徴とする、請求項７に記載の廃水処理方法。
【請求項９】
前記電解式ｐＨ調整器は、陰イオン交換膜によって陰極室及び陽極室に分離された２室型の電解式ｐＨ調整器であって、前記懸濁物を吸着した前記スピネルフェライト粒子を前記陰極室又は前記陽極室に導入することにより、前記懸濁物を前記スピネルフェライト粒子から離脱させることを特徴とする、請求項７又は８に記載の廃水処理方法。
【請求項１０】
前記陰極室又は前記陽極室内に、前記懸濁物を吸着した前記スピネルフェライト粒子の導入方向と垂直に、複数の絶縁板をそれぞれの中心が所定の間隔でずれるようにして互い違いに配列し、
前記懸濁物を吸着した前記スピネルフェライト粒子を、前記複数の絶縁板の隙間を流すことにより、前記懸濁物を前記スピネルフェライト粒子から離脱させることを特徴とする、請求項９に記載の廃水処理方法。
【請求項１１】
前記反応槽と前記電気式ｐＨ調整器との間に配設された分離槽において、前記懸濁物を吸着したスピネルフェライト粒子のスラリーと前記廃水より前記懸濁物が除去されて得た処理水とを分離するステップを具えることを特徴とする、請求項７〜１０のいずれか一に記載の廃水処理方法。
【請求項１２】
前記スピネルフェライト粒子回収装置の下流側に配設された懸濁物回収槽において、前記スピネルフェライト粒子より離脱した前記懸濁物を回収するステップと、
前記電解式ｐＨ調整器の下流側において、酸・アルカリ貯留槽において、前記電解式ｐＨ調整器で生成した酸又はアルカリを貯留するステップと、
前記酸・アルカリ貯留槽中の前記酸又はアルカリを前記懸濁物回収槽に供給して、前記懸濁物を中和するステップと、
を具えることを特徴とする、請求項７〜１１のいずれか一に記載の廃水処理方法。
【発明の詳細な説明】
【技術分野】
【０００１】
本発明の実施形態は、廃水処理装置及び方法に関する。
【背景技術】
【０００２】
電子部品製造業、機械加工業、食品加工業などの一般産業では、製品製造過程において水洗浄工程を有しており、廃水が発生する。通常、製造過程で発生した廃水は工場内の廃水処理施設に送られて化学的あるいは物理的な処理を行った後、下水として放流されたり、あるいは工場内で再使用されたりするのが一般的である。
【０００３】
例えば、廃水に含まれる懸濁物はフィルタによるろ過処理で捕集・除去されるが（非特許文献１）、懸濁物が難ろ過性の場合には、短時間の処理（=少量の懸濁物捕集）でフィルタのろ過流量が低下したり（定圧ろ過）、ろ過差圧の急増（定流量ろ過）が生じたりして、短期間でのフィルタ交換が必要となり、ランニングコストが増大する。
【０００４】
このような問題に鑑みて、ろ過処理の前段で化学的な処理、例えばポリ硫酸第二鉄、塩化第二鉄、硫酸アルミニウム、ポリ塩化アルミニウム（＋高分子凝集剤）などの凝集剤を添加して元々含有されている懸濁物をろ過・脱水し易い性状に変えた後に、脱水機による汚泥回収が行われている。しかしながら、凝集処理は廃水中の懸濁物濃度よりも高濃度の凝集剤を添加するために廃棄物量（汚泥）は多大になり処分コストも高くなるという課題がある。
【０００５】
一方、近年においては、廃水中の懸濁物を磁性吸着材や磁性多孔質体といった機能粉を用い、当該機能粉を水中に浸漬させて懸濁物を吸着し、懸濁物を吸着した後の機能粉を磁石で回収する方法なども提案されている（非特許文献２）。しかしながら、機能粉による懸濁物の吸着は機能粉表面の電荷（ゼータ電位）による作用が主であるため、磁石で回収した機能粉から懸濁物を離脱させるには、当該機能粉に酸やアルカリを添加してｐＨ調整した溶液に浸漬する。したがって、この場合においても、酸やアルカリなどの薬品が必要となり薬品コストが増大するという問題がある。
【先行技術文献】
【非特許文献】
【０００６】
【非特許文献１】化学工学便覧  15.章  ろ過および圧搾
【非特許文献２】Water treatment with reusable magnetite particle（再使用可能なマグネタイト粒子を用いた水処理）, Anderson, N.J et al, Water Filtr., Proceedings Int. Symp. (1982),2.1-2.10
【発明の概要】
【発明が解決しようとする課題】
【０００７】
本発明は、汚泥の発生を抑制するとともに薬品の使用量を低減し、低いランニングコストで廃水中の懸濁物を除去、回収することを目的とする。
【課題を解決するための手段】
【０００８】
実施形態の廃水処理装置は、懸濁物を含有する廃水とスピネルフェライト粒子とを接触させ、当該スピネルフェライト粒子に対して前記懸濁物を吸着させるための反応槽と、前記反応槽の下流側に位置し、前記懸濁物を吸着した前記スピネルフェライト粒子を導入し、当該スピネルフェライト粒子から前記懸濁物を離脱させるための電解式ｐＨ調整器とを具える。また、前記電解式ｐＨ調整器の下流側に位置し、前記懸濁物より離脱した前記スピネルフェライト粒子を回収するためのスピネルフェライト粒子回収装置とを具える。
【図面の簡単な説明】
【０００９】
【図１】第１の実施形態における水処理装置の概略構成図である。
【図２】図１に示す水処理装置の電解式ｐＨ調整器の概略構成図である。
【図３】第２の実施形態における水処理装置の電解式ｐＨ調整器の概略構成図である。
【図４】図３に示す電解式ｐＨ調整器の側面図である。
【発明を実施するための形態】
【００１０】
（第１の実施形態）
図１は、本実施形態における水処理装置の概略構成図であり、図２は、図１に示す水処理装置の電解式ｐＨ調整器の概略構成図である。
【００１１】
図１に示すように、本実施形態の水処理装置１０は、懸濁物を含有する廃水Ｗ１とスピネルフェライト粒子Ａとを接触させ、当該スピネルフェライト粒子Ａに対して懸濁物を吸着させるための反応槽１１と、反応槽１１の下流側に位置し、懸濁物を吸着したスピネルフェライト粒子Ａを含む廃水Ｗ１を導入し、スラリー状の懸濁物吸着スピネルフェライト粒子Ａと、当該懸濁物吸着スピネルフェライト粒子Ａが廃水Ｗ１より除去されることによって得た処理水とに分離するための、例えばサイクロン等から構成される分離槽１２とを有している。
【００１２】
また、分離槽１２と並列に処理水Ｗ２を貯留するための処理水貯留槽１３が配設され、分離槽１２の下流側には電解式ｐＨ調整器１４が配設されている。
【００１３】
電解式ｐＨ調整器１４は、図２に示すように、その容器１４１内部の略中央部に陰イオン交換膜１４２が配設され、これによって電解式ｐＨ調整器１４は、陰極室１４Ａ及び陽極室１４Ｂに分割されている。また、容器１４１の側壁の内側、すなわち陰極室１４Ａ及び陽極室１４Ｂの外側面側には、それぞれ電極(陰極)１４３及び電極(陽極)１４４が配設されている。
【００１４】
さらに、電解式ｐＨ調整器１４の下流側には、当該電解式ｐＨ調整器１４で懸濁物が分離されたスピネルフェライト粒子Ａを一時的に貯留するためのスピネルフェライト粒子貯留槽１５と、電解式ｐＨ調整器１４で懸濁物をスピネルフェライト粒子Ａから分離する際に生成した酸性液又はアルカリ性液を貯留するための酸・アルカリ貯留槽１６とが配設されている。
【００１５】
なお、以下に説明するように、スピネルフェライト粒子貯留槽１５中には、分離された懸濁物も含まれるが、以下に説明するように、スピネルフェライト粒子貯留槽１５内は、電解式ｐＨ調整器１４で生成した酸性液又はアルカリ性液によって常に酸性又はアルカリ性の状態に保持されているので、懸濁物が再度スピネルフェライト粒子Ａに吸着することはない。
【００１６】
スピネルフェライト粒子貯留槽１５の下流側には、図示しない電磁石が内部に配設されたスピネルフェライト粒子再生槽１７が配設され、その下方には再生したスピネルフェライト粒子Ａを回収して貯留するためのスピネルフェライト粒子回収槽１８が配設されている。
【００１７】
なお、スピネルフェライト粒子貯留槽１５、スピネルフェライト粒子再生槽１７及びスピネルフェライト粒子回収槽１８は、本発明におけるスピネルフェライト粒子回収装置を構成する。
【００１８】
スピネルフェライト粒子再生槽１７、すなわちスピネルフェライト粒子回収装置の下流側には、スピネルフェライト粒子再生槽１７で分離された懸濁物を回収し、貯留するための懸濁物回収槽１９が配設されている。
【００１９】
本実施形態において、スピネルフェライト粒子Ａは、一般式ＡＦｅ２Ｏ４（Ａ：Ｍｎ，Ｃｏ，Ｎｉ，Ｃｕ，Ｚｎ，Ｆｅ等）で表わされる組成を有するスピネルフェライトから構成される粒子であって、特にＡ＝Ｆｅである一般式Ｆｅ３Ｏ４で表わされるマグネタイトは、安価であるだけでなく、水中での安定性に優れ、水処理に使用しやすいので好ましい。
【００２０】
この場合、マグネタイト粒子は、球状、多面体、不定形など種々の形状を取り得るが特に限定されない。望ましい形状は、製造コストなどを鑑みて適宜選択すればよく、特に球状または角が丸い多面体構造が好ましい。
【００２１】
なお、スピネルフェライト粒子Ａの平均粒子径は特に限定されないものの、例えば０．１μｍ〜１０００μｍとすることができる。平均粒子径は、レーザー回折法により測定することができ、具体的には、株式会社島津製作所製のＳＡＬＤ−3100型測定装置（商品名）などにより測定することができる。
【００２２】
本実施形態で使用する電解式ｐＨ調整器１４は、図２に示すような陰イオン交換膜１４２で２室１４Ａ及び１４Ｂに分離された構成の代わりに、他の構成のものを用いてもよいが、図２に示す電解式ｐＨ調整器１４は汎用されており、安価であって、以下に説明するように、本実施形態における上記調整器の作用効果を確実に奏することができるので好ましく用いることができる。
【００２３】
次に、図１に示す水処理装置１０を用いて水処理方法について説明する。
最初に、反応槽１１に対して、懸濁物を含む廃水Ｗ１を導入するとともに、反応槽１１の上方に配設された吸着材貯留槽１１１より、所定の濃度に調整されたスピネルフェライト粒子Ａのスラリーを反応槽１１に投入し、廃水Ｗ１の懸濁物とスピネルフェライト粒子Ａとを接触させる。
【００２４】
このとき、廃水Ｗ１が酸性域にあると、スピネルフェライト粒子Ａのゼータ電位は正になる傾向があり、廃水Ｗ１がアルカリ性域にあると、スピネルフェライト粒子Ａのゼータ電位は負になる傾向がある。したがって、前者の場合は、廃水Ｗ１中で負に荷電している懸濁物を吸着することができ、後者の場合は、廃水Ｗ１中で正に荷電している懸濁物を吸着することができる。
【００２５】
負に荷電している懸濁物としては、アオコ、セリナイト、その他微生物などの汚泥成分を挙げることができ、正に荷電している懸濁物としては、アルミナ、水酸化鉄などを挙げることができる。
【００２６】
なお、廃水Ｗ１のｐＨが中性に近いような場合は、反応槽１１の上方に配設したｐＨ調整槽１１２から適宜塩酸や硫酸ナトリウム、水酸化ナトリウムなどを添加し、反応槽１１内の廃水Ｗ１のｐＨを適宜酸性又はアルカリ性とすることができる。また、廃水Ｗ１の電解が困難な場合は、ｐＨ調整槽１１２から塩化ナトリウムなどの塩を含ませることもできる。廃水Ｗ１がこのような塩を含むことによって、以下に説明する電解式ｐＨ調整器１４でのスピネルフェライト粒子Ａからの懸濁物の分離を容易に行うことができるようになる。
【００２７】
次いで、懸濁物が吸着したスピネルフェライト粒子Ａを含む廃水Ｗ１を、ポンプ３１を駆動させることによって分離槽１２に導入する。上述のように、分離槽１２はサイクロン等で構成されるので、分離槽１２では、懸濁物が吸着したスピネルフェライト粒子Ａを含むスラリーＷ２の比重が、廃水Ｗ１より当該スラリーが除去されることによって得た処理水Ｗ３よりも大きくなるので、上記スラリーＷ２は分離槽１２の底部に溜まり、処理水Ｗ３は分離槽１２の上部に溜まるようになる。処理水Ｗ３は、分離槽１２より抽出して処理水貯留槽１３内に貯留する。
【００２８】
なお、処理水貯留槽１３内に貯留した処理水Ｗ３は、ポンプ３２を適宜駆動させることによって、処理水貯留槽１３より外部に排出することができる。
【００２９】
次いで、上記スラリーＷ２を分離槽１２から電解式ｐＨ調整器１４内に導入する。電解式ｐＨ調整器１４内では、陰極室１４Ａが負電位となり、陽極室１４Ｂが正電位となるように図示しない外部電源より電圧を印加すると、スラリーＷ２中の水に以下に示すような電解反応を生ぜしめるので、
［陰極］      Ｈ２Ｏ＋２ｅ−→１／２Ｈ２＋ＯＨ−
［陽極］      Ｈ２Ｏ→１／２Ｏ２＋２Ｈ＋＋２ｅ−
陰極室１４Ａはアルカリ性となり、陽極室１４Ｂは酸性となる。
【００３０】
したがって、例えば、アオコなどの懸濁物を吸着したスピネルフェライト粒子Ａを含むスラリーＷ２を電解式ｐＨ調整器１４の陰極室１４Ａ内に導入すると、スピネルフェライト粒子Ａのゼータ電位は正から負に変わるため、当該スピネルフェライト粒子Ａは、負に帯電した懸濁物を最早吸着することができず、当該懸濁物を離脱するようになる。
【００３１】
一方、アルミナなどの懸濁物を吸着したスピネルフェライト粒子Ａを含むスラリーＷ２を電解式ｐＨ調整器１４の陽極室１４Ｂ内に導入すると、スピネルフェライト粒子Ａのゼータ電位は負から正に変わるため、当該スピネルフェライト粒子Ａは、正に帯電した懸濁物を最早吸着することができず、当該懸濁物を離脱するようになる。
【００３２】
このように、懸濁物を吸着した際におけるスピネルフェライト粒子Ａのゼータ電位の正負が変化するように、電解式ｐＨ調整器１４の陰極室１４Ａ及び陽極室１４Ｂを適宜選択してスピネルフェライト粒子Ａを含むスラリーＷ２を導入することにより、当該スピネルフェライト粒子Ａに吸着した懸濁物を離脱及び分離することができる。
【００３３】
なお、スラリーＷ２が上述した塩を含むことにより、上記電解反応をより低い電圧でより確実に生ぜしめることができ、スピネルフェライト粒子Ａからの懸濁物の離脱をより確実に行うことができるようになる。
【００３４】
次いで、分離した懸濁物及びスピネルフェライト粒子Ａを含むスラリーＷ４は、スピネルフェライト粒子貯留槽１５内に一時的に貯留される。このとき、スピネルフェライト粒子貯留槽１５内では、陰極室１４Ａ及び陽極室１４Ｂ内での液性が保持される。例えば、陰極室１４Ａのアルカリ性がそのまま保持されるので、陰極室１４Ａでアオコなどの懸濁物をスピネルフェライト粒子Ａから分離した場合には、スピネルフェライト粒子貯留槽１５内でも、懸濁物はスピネルフェライト粒子Ａから分離した状態でスラリーＷ４中に存在する。あるいは陽極室１４Ｂの酸性がそのまま保持されるので、陽極室１４Ｂでアルミナなどの懸濁物はスピネルフェライト粒子Ａから分離した状態でスラリーＷ４中に存在する。
【００３５】
なお、電解式ｐＨ調整器１４の、スピネルフェライト粒子Ａを含むスラリーＷ２を導入する側と、陰イオン交換膜１４２を介して対向する室、例えば、スピネルフェライト粒子Ａを含むスラリーＷ２を陰極室１４Ａに導入した場合における陽極室１４Ｂで生成した酸Ｗ５、あるいはスピネルフェライト粒子Ａを含むスラリーＷ２を陽極室１４Ｂに導入した場合における陰極室１４Ａで生成したアルカリＷ５は、酸・アルカリ貯留槽１６に貯留され、必要に応じ、ポンプ３４を駆動させることによって外部に排出する。
【００３６】
次いで、スピネルフェライト粒子貯留槽１５内に一時的に貯留された、分離された懸濁物及びスピネルフェライト粒子Ａを含むスラリーＷ４は、ポンプ３３を駆動させることによってスピネルフェライト粒子再生槽１７に導入され、図示しない電磁石をオンにしてスラリーＷ４中のスピネルフェライト粒子Ａを当該電磁石に吸着させた状態で、洗浄水を流し、スピネルフェライト粒子Ａから懸濁物を除去する。懸濁物が除去されたスピネルフェライト粒子Ａはスピネルフェライト粒子回収槽１８内に回収され、除去された懸濁物は、懸濁物回収槽１９内に導入される。
【００３７】
なお、スピネルフェライト粒子回収槽１８内に回収されたスピネルフェライト粒子Ａは、必要に応じ、ポンプ３５を駆動させて吸着材貯留槽１１１内に還元し、上述した懸濁物の吸着に再度使用することができる。
【００３８】
一方、懸濁物回収槽１９に回収された懸濁物は、中和剤貯留槽２１から中和剤が供給され、さらに凝集剤貯留槽２２から凝集剤が供給された後、ポンプ３６を駆動させることによって脱水槽２３に移送され、脱水処理がなされる。脱水処理された後の懸濁物は、例えば土中埋設処理などによって処分される。
【００３９】
なお、中和剤貯留槽２１から中和剤を供給する代わりに、酸・アルカリ貯留槽１６に貯留した酸又はアルカリを中和剤として供給することもできる。
【００４０】
本実施形態の水処理装置１０及びこれを用いた水処理方法によれば、薬品の使用量を低減するとともに、汚泥の発生を抑制し、低いランニングコストで廃水中の懸濁物を除去、回収することができる。
【００４１】
（第２の実施形態）
図３は、本実施形態における水処理装置の電解式ｐＨ調整器の概略構成図であり、図４は、図３に示す電解式ｐＨ調整器をＸ方向から見た場合の側面図である。
【００４２】
本実施形態の水処理装置は、電解式ｐＨ調整器１４の構成が図１及び図２に示す第１の実施形態の水処理装置１０と異なるのみで、その他の構成は同一である。したがって、以下では、当該相違に基づく、本実施形態の水処理装置及び水処理方法について説明する。
【００４３】
なお、図１及び図２に示す構成要素と類似あるいは同一の構成要素については同一の符号を用いている。
【００４４】
図３及び図４に示すように、本実施形態の水処理装置の電解式ｐＨ調整器１４においては、陰極室１４Ａ内において、複数の正方形状の絶縁板１４５は、スピネルフェライト粒子Ａを含むスラリーＷ２の導入方向において、その中心１４５Ｃが所定の間隔でずれるようにして互い違いに配列している。なお、絶縁板１４５は、酸やアルカリに対して耐性を有することが必要であり、窒化アルミニウムなどのセラミック材から構成する。
【００４５】
具体的には、図４に示すように、複数の絶縁板１４５が、容器１４１の上面１４１Ａ及び下面１４１Ｂに交互に接触する場合について記載している。但し、容器１４１の上面１４１Ａ及び下面１４１Ｂの代わりに、容器１４１の側面１４１Ｃ及び陰イオン交換膜１４２に交互に接触するようにしてもよい。また、以下に説明するように、スピネルフェライト粒子Ａを含むスラリーＷ２の流路が確保できれば、複数の絶縁板１４５を、容器１４１の上面１４１Ａ及び下面１４１Ｂに必ずしも交互に接触させる必要はない。
【００４６】
本実施形態の水処理装置では、電解式ｐＨ調整器１４内の陰極室１４Ａにおいて、複数の正方形状の絶縁板１４５を、スピネルフェライト粒子Ａを含むスラリーＷ２の導入方向において、その中心１４５Ｃが所定の間隔ですれるようにして互い違いに配列しているので、分離槽１２で得たスピネルフェライト粒子Ａを含むスラリーＷ２を導入口１４ｈ１から導入した際に、スラリーＷ２は、図４に示すように、配列した複数の正方形状の絶縁板１４５の隙間を蛇行して流れるようになる。
【００４７】
この結果、スピネルフェライト粒子Ａを含むスラリーＷ２の電解式ｐＨ調整器１４内での滞留時間が長時間化するので、スピネルフェライト粒子Ａからの懸濁物の離脱をより確実に行うことができるようになる。
【００４８】
スピネルフェライト粒子Ａと懸濁物とを含むスラリーＷ４は、電解式ｐＨ調整器１４の排出口１４ｈ２からスピネルフェライト粒子貯留槽１５に向けて排出される。
【００４９】
スラリーＷ２が陰極室１４Ａ内を流れている間、陰極室１４Ａ内をアルカリ性に保持し、陽極室１４Ｂ内を酸性に保持すべく、陰イオン交換膜１４２を介して存在する陽極室１４Ｂで生成した酸は、陽極室１４Ｂの導入口１４ｈ３及び排出口１４ｈ４を介して当該陽極室１４Ｂ内を循環させるようにする。
【００５０】
なお、本実施形態では、陰極室１４Ａ内に複数の正方形状の絶縁板１４５を配設したが、陽極室１４Ｂ内に複数の正方形状の絶縁板１４５を配設することもできる。すなわち、第１の実施形態で述べたように、複数の正方形状の絶縁板１４５の配設箇所は、離脱すべきスピネルフェライト粒子Ａに吸着した懸濁物の、廃水Ｗ１中でのゼータ電位が負であるか正であるか（スピネルフェライト粒子Ａの廃水Ｗ１中でのゼータ電位が正であるか負であるか）に依存する。
【００５１】
離脱すべき懸濁物のゼータ電位が負（スピネルフェライト粒子Ａのゼータ電位が正）の場合は、懸濁物をスピネルフェライト粒子Ａより確実に離脱させるべく、上述した複数の正方形状の絶縁板１４５を陰極室１４Ａ内に配設し、離脱すべき懸濁物のゼータ電位が正（スピネルフェライト粒子Ａのゼータ電位が負）の場合は、懸濁物をスピネルフェライト粒子Ａより確実に離脱させるべく、上述した複数の正方形状の絶縁板１４５を陽極室１４Ｂ内に配設する。
【００５２】
なお、上述した作用効果を奏する限りにおいて、複数の絶縁板の形状は正方形状である必要はなく、任意の形状とすることができる。
【００５３】
その他の特徴及び利点については、第１の実施形態と同様であるので説明を省略する。
【００５４】
以上、本発明のいくつかの実施形態を説明したが、これらの実施形態は例として掲示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
１０  水処理装置
１１  反応槽
１１１  吸着材貯留槽
１１２  ｐＨ調整槽
１２  分離槽
１３  処理水貯留槽
１４  電解式ｐＨ調整器
１５  スピネルフェライト粒子貯留槽
１６  酸・アルカリ貯留槽
１７  スピネルフェライト粒子再生槽
１８  スピネルフェライト粒子回収槽
１９  懸濁物回収槽
２１  中和剤貯留槽
２２  凝集剤貯留槽
２３  脱水槽
【図１】
2014087768.tif 000003
【図２】
2014087768.tif 000004
【図３】
2014087768.tif 000005
【図４】
2014087768.tif 000006